(57)【要約】【課題】衛生的で清掃の容易な動物用トイレを提供すること。【解決手段】動物用トイレ１は、下部底面部３１及び下部底面部３１の周縁から起立する下部側壁部３２を有し上部が開放された下部容器３０と、下部容器３０の上方に配置されると共に上部が開放された上部容器２０と、を備える動物用トイレ１であって、上部容器２０は、複数の貫通孔２１１が形成された上部底面部２１と、上部底面部２１の周縁から起立する上部壁部２２と、上部壁部２２の外面から下方に延びる延出壁部２３と、を備え、延出壁部２３の下端部は、上部底面部２１よりも下方に位置する。【選択図】図１
2015012855.tif 000002
【特許請求の範囲】
【請求項１】
下部底面部及び該下部底面部の周縁から起立する下部側壁部を有し上部が開放された下部容器と、前記下部容器の上方に配置され上部が開放された上部容器と、を備える動物用トイレであって、
前記上部容器は、
複数の貫通孔が形成された上部底面部と、
前記上部底面部の周縁から起立する上部壁部と、
前記上部壁部の外面から下方に延びる延出壁部と、を備え、
前記延出壁部の下端部は、前記上部底面部よりも下方に位置する動物用トイレ。
【請求項２】
前記延出壁部は、前記上部容器を前記下部容器の上方に配置した状態で前記下部側壁部よりも外側に配置される請求項１に記載の動物用トイレ。
【請求項３】
前記延出壁部は、
前記上部容器を前記下部容器の上方に配置した状態で該下部容器が設置される設置面に当接する足部と、
前記上部容器を前記下部容器の上方に配置した状態で該下部側壁部が露出するように切り欠かれた切り欠き部と、を有する請求項１又は２に記載の動物用トイレ。
【請求項４】
前記下部容器は、前記下部側壁部の外面に配置される取手部を更に備え、
前記切り欠き部は、前記取手部に対応する位置に配置される請求項３に記載の動物用トイレ。
【請求項５】
前記切り欠き部は、少なくとも前記延出壁部における向かい合って配置される面に設けられる請求項３又は４に記載の動物用トイレ。
【請求項６】
前記下部容器は、平面視において複数の隅部を有する形状を有し、
前記足部は、前記隅部に対応する位置に配置される請求項３〜５のいずれかに記載の動物用トイレ。
【請求項７】
前記下部容器は、前記隅部の近傍に設けられ、前記足部が該下部容器の内側に進入することを規制する規制部を更に備える請求項６に記載の動物用トイレ。
【請求項８】
前記隅部又は前記規制部は、前記下部側壁部の上端部から下方へ向かって形成される切込み部を有する請求項６又は７に記載の動物用トイレ。
【請求項９】
前記規制部は、
前記隅部から外側に向かって突出する突出部と、
該突出部の下方に形成される穴部と、を有する請求項７又は８に記載の動物用トイレ。
【発明の詳細な説明】
【技術分野】
【０００１】
本発明は、動物用トイレに関する。
【背景技術】
【０００２】
従来より、猫等の飼育される動物の排泄物を処理する動物用のトイレとして、下部容器と、下部容器の上方に配置される上部容器とにより構成され、上部容器の底面部に液透過孔を有する動物用トイレが知られている。このような動物用トイレは、下部容器に液体を吸収する吸液部材を載置し、上部容器にトイレ砂と呼ばれる粒状物を収容して用いられる（例えば、特許文献１参照）。特許文献１に記載の動物用トイレによれば、動物は粒状物の上で排泄し、尿等の液体が粒状物の間を透過し、上部容器の液透過孔を通過して、下部容器の吸液部材に吸収される。
【先行技術文献】
【特許文献】
【０００３】
【特許文献１】特開２００２−４５０６７号公報
【発明の概要】
【発明が解決しようとする課題】
【０００４】
特許文献１に記載の動物用トイレでは、上部容器の底面と、下部容器に載置される吸液部材とが、直接接触している。このため、動物用トイレを清掃したり、吸液シートを取り替える際に、底面に排泄物の付着した上部容器を住居の床等に置く必要が生じる。
【０００５】
直接上部容器を床等に置くと、床に排泄物が付着して汚れる。また、汚れを防ぐためには使用者が新聞紙等のシートを敷く必要があり、清掃に手間が増えたり、衛生的でない等の問題が生じる場合があった。
【０００６】
本発明は、衛生的で清掃の容易な動物用トイレを提供することを目的とする。
【課題を解決するための手段】
【０００７】
（１）  本発明の動物用トイレは、下部底面部及び該下部底面部の周縁から起立する下部側壁部を有し上部が開放された下部容器と、前記下部容器の上方に配置され上部が開放された上部容器と、を備える動物用トイレであって、前記上部容器は、複数の貫通孔が形成された上部底面部と、前記上部底面部の周縁から起立する上部壁部と、前記上部壁部の外面から下方に延びる延出壁部と、を備え、前記延出壁部の下端部は、前記上部底面部よりも下方に位置する。
【０００８】
（２）  前記延出壁部は、前記上部容器を前記下部容器の上方に配置した状態で前記下部側壁部よりも外側に配置されることが好ましい。
【０００９】
（３）  前記延出壁部は、前記上部容器を前記下部容器の上方に配置した状態で該下部容器が設置される設置面に当接する足部と、前記上部容器を前記下部容器の上方に配置した状態で該下部側壁部が露出するように切り欠かれた切り欠き部と、を有することが好ましい。
【００１０】
（４）  前記下部容器は、前記下部側壁部の外面に配置される取手部を更に備え、前記切り欠き部は、前記取手部に対応する位置に配置されることが好ましい。
【００１１】
（５）  前記切り欠き部は、少なくとも前記延出壁部における向かい合って配置される面に設けられることが好ましい。
【００１２】
（６）  前記下部容器は、平面視において複数の隅部を有する形状を有し、前記足部は、前記隅部に対応する位置に配置されることが好ましい。
【００１３】
（７）  前記下部容器は、前記隅部の近傍に設けられ、前記足部が該下部容器の内側に進入することを規制する規制部を更に備えることが好ましい。
【００１４】
（８）  前記隅部又は前記規制部は、前記下部側壁部の上端部から下方へ向かって形成される切込み部を有することが好ましい。
【００１５】
（９）  前記規制部は、前記隅部から外側に向かって突出する突出部と、該突出部の下方に形成される穴部と、を有することが好ましい。
【発明の効果】
【００１６】
本発明によれば、衛生的で清掃の容易な動物用トイレを提供することができる。
【図面の簡単な説明】
【００１７】
【図１】第１実施形態の動物用トイレを示す斜視図である。
【図２】第１実施形態の動物用トイレの分解斜視図である。
【図３】第１実施形態の動物用トイレにおける上部容器の正面図である。
【図４】第１実施形態の動物用トイレにおける下部部容器の正面図である。
【図５】図３に示す動物用トイレのＡ−Ａ断面図において使用の状態を示す図である。
【図６】図３に示す動物用トイレのＢ−Ｂ断面拡大図である。
【図７】第１実施形態の動物用トイレの使用の状態を示す図である。
【図８】第２実施形態の動物用トイレの模式図である。
【図９Ａ】本発明の下部容器の変形例を示す模式図である。
【図９Ｂ】本発明の下部容器の変形例を示す模式図である。
【図９Ｃ】図９Ｂに示す下部容器のＣ方向の矢視図である。
【図９Ｄ】図９Ｂに示す下部容器のさらなる変形例に係るＣ方向の矢視図である。
【図１０Ａ】本発明の下部容器の変形例を示す模式図である。
【図１０Ｂ】図１０Ａに示す下部容器のＤ方向の矢視図である。
【図１０Ｃ】図１０Ｂに示す下部容器のＥ−Ｅ線の断面概略図である。
【発明を実施するための形態】
【００１８】
以下、本発明の動物用トイレの好ましい各実施形態について、図面を参照しながら説明する。まず、第１実施形態に係る動物用トイレについて、図１〜６を参照しながら説明する。
【００１９】
図１は、動物用トイレ１を示す斜視図である。図２は、動物用トイレ１の分解斜視図である。図３は、動物用トイレ１における上部容器２０の正面図である。図４は、動物用トイレ１における下部容器３０の正面図である。図５は、図３に示す動物用トイレ１のＡ−Ａ断面において、吸液部材４及び排泄物処理材５をそれぞれ収容させた状態を示す図である。図６は、図３に示す動物用トイレ１のＢ方向に切断した状態の断面図である。
【００２０】
動物用トイレ１は、図１に示すように、下部容器３０と、上部容器２０と、を備える。動物用トイレ１は、例えば住居の床等の設置面１０に設置される。
【００２１】
下部容器３０は、図２に示すように、下部底面部３１と、下部側壁部３２と、取手部３３と、隅部３４と、を有する。図２に示すように、下部容器３０は、上部が開放された容器である。
【００２２】
下部底面部３１は、図４に示すように、平面視で長方形の４つの角を、各長辺及び短辺に対して斜めに切り落としたような略八角形をしている。
下部側壁部３２は、下部底面部３１の周縁から起立する壁である。
【００２３】
取手部３３は、下部側壁部３２の外面に配置されている。取手部３３は、下部容器３０の短手方向の辺に１箇所ずつ、向かい合って計２箇所設けられている。取手部３３は、下部容器３０の外側に突出するように設けられている。
【００２４】
隅部３４は、下部容器３０における略八角形の八辺のうち、長辺と短辺とを繋ぐように斜めに配置される辺により構成される。隅部３４は、本実施形態では、下部容器３０の内側に凸となるようにやや湾曲している。
【００２５】
上部容器２０は、図２に示すように、上部底面部２１と、貫通孔２１１と、上部壁部２２と、延出壁部２３と、を有する。上部容器２０は、下部容器３０の上方に配置される。上部容器２０は、上部が開放された容器である。図３に示すように、上部容器２０は、平面視で長方形の４つの角を丸く曲面として、一の長辺の端部を外側に突出させた形状をしている。
【００２６】
上部底面部２１は、上部容器２０の底面を構成する。上部底面部２１は、図１及び図３に示すように、平面部２４と、テーパ面部２５と、を有する。
平面部２４は、平面視で上部底面部２１の略中央に形成され、上部底面部２１の高さ方向における最も下方に配置されている。平面部２４は、上部容器２０の略水平方向に延びる面である。平面部２４には、複数の貫通孔２１１が形成されている。
テーパ面部２５は、平面部２４の周縁から、上部底面部２１の周縁に向かって上り傾斜となる面である。テーパ面部２５のテーパ角度は、上部底面部２１に対して５度〜６０度であることが好ましい。テーパ面部２５のテーパ角度が５度を下回る程に浅すぎると、動物の尿等を平面部２４側へ移動させて、下部容器３に誘導することが難しくなる。また、テーパ面部２５のテーパ角度が６０度を超える程に深すぎると、動物が上部容器２０に乗った際に、足を安定して乗せる場所が狭くなる。このため、テーパ角度は上記の範囲が好ましい。
【００２７】
上部壁部２２は、図２に示すように、上部底面部２１の周縁から起立して上方へ延びている。上部壁部２２は、上部容器２０の上端部まで延び、上端部で外側に向かって反っている。
【００２８】
延出壁部２３は、上部壁部２２の外面から下方に延びて形成されている。延出壁部２３は、その下端部が上部底面部２１よりも下方に位置するように配置される。また、図５に示すように、延出壁部２３は、上部容器２０を下部容器３０の上に配置した状態で、下部側壁部３２よりも外側に位置している。
【００２９】
延出壁部２３は、足部２３１と、切り欠き部２３２と、を有する。
足部２３１は、図６に示すように、上部容器２０が下部容器３０の上方に配置された状態では、動物用トイレ１の設置面１０に当接している。足部２３１は、本実施形態では４本形成されている。足部２３１は、設置面１０に下端部が当接して上方に延び、上部容器２０を支えるように形成されている。足部２３１は、下部容器３０における隅部３４の内側に凸の形状と異なり、上部容器２０の長辺と短辺とを繋ぐ曲面に沿って形成されている。足部２３１は、隅部３４に対応する位置に、隅部３４の外側に配置されている。
切り欠き部２３２は、延出壁部２３の下端部側の縁が、上方に向かって弧を描くように切り欠かれて形成される。切り欠き部２３２からは、下部側壁部３２の外面が露出する。切り欠き部２３２は、延出壁部２３における向かい合って配置される面に対称に設けられる。
【００３０】
ここで、下部容器３０における上述の取手部３３は、上部容器２０の切り欠き部２３２が形成される位置と対応する位置に設けられている。このため、図１に示すように、取手部３３は、下部容器３０が上部容器２０の下方に配置された状態で、上部容器２０の長手方向の端部から外側に突出している。
【００３１】
以上の動物用トイレ１は、下部容器３０に吸液部材４を載置し、上部容器２０に粒状の排泄物処理材５を収容して用いられる。
【００３２】
吸液部材４は、図５に示すように、尿等の動物の排泄物を吸収可能な部材である。吸液部材４は、液透過性の表面シートと、液保持性の中間シートと、液不透過性の裏面シートを積層して接合した四角形のシートである。
【００３３】
排泄物処理材５は、尿等液体の動物の排泄物を吸収したり、透過させたりする粒状の処理材であり、いわゆるトイレ砂である。トイレ砂としては、撥水性で多くの液体を吸液部材へ透過させるタイプや、尿等の液体を吸収すると固化するタイプ等、様々な素材の粒状物が適宜用いられる。
【００３４】
次に、動物用トイレ１の使用の状態ついて説明する。
図７は、動物用トイレ１の使用の状態を示す模式図である。
図５に示すように、動物用トイレ１に猫等の動物が入り、上部容器２０に収容された排泄物処理材５の上で排泄をする。尿等の液体の排泄物は、排泄物処理材５を透過し、上部底面部２１の複数の貫通孔２１１を通って、下部容器３０に載置された吸液シートに吸収される。上部容器２０には、図６に示すように、上部壁部２２から下部側壁部３２の外側の下方に延出し、下部容器３０の設置面１０に当接する足部２３１が設けられている。足部２３１は、排泄物を吸収した吸液部材４が載置されている下部底面部３１に接触していない。このため、足部２３１の裏面は汚れていない。したがって、図７に示すように、上部容器２０を下部容器３０から外して床等に直接置いて掃除をすることができる。
【００３５】
図１に示すように、動物用トイレ１を清掃の前後で持ち運ぶ際には、上部容器２０の切り欠き部２３２から突出する取手部３３を把持することで、下部容器３０及び上部容器２０を同時に持ち運ぶことができる。
【００３６】
以上説明した本実施形態の動物用トイレ１によれば、以下のような作用効果を奏する。
【００３７】
（１）  上部容器２０と、上部容器の下方に配置される下部容器３０と、を備える動物用トイレ１において、上部容器２０に、複数の貫通孔２１１が形成された上部底面部２１と、上部底面部２１の周縁から起立する上部壁部２２と、上部壁部２２の外面から下方に延びる延出壁部２３と、を設け、延出壁部２３の下端部は、上部底面部２１よりも下方に位置させた。延出壁部２３の下端部が、上部底面部２１よりも下方に位置しているため、上部容器２０を下部容器３０の上に配置した際、上部底面部２１と下部容器３０との間に隙間があき、上部底面部２１が下部容器３０に収容した吸液部材４等に接しない。また、延出壁部２３の下端部が、上部底面部２１よりも下方に位置しているため、上部容器２０を下部容器３０から外しても、上部底面部２１が床等に直接接することが無く、衛生的に動物用トイレの清掃を行うことができる。
【００３８】
（２）  延出壁部２３は、下部側壁部３２よりも外側に配置される。延出壁部２３が下部側壁部３２よりも外側に配置されているので、延出壁部２３の下端部は、下部底面部３１に接することがない。このため、延出壁部２３の下端部は吸液部材４に接して汚れていない。したがって、上部容器２０を持ち上げて床等に置いても床を汚さずに、動物用トイレ１の清掃を容易に行うことができる。
【００３９】
（３）  延出壁部２３に、上部容器２０を下部容器３０の上方に配置した状態で下部容器３０の設置面に当接する足部２３１と、上部容器２０を下部容器３０の上方に配置した状態で下部側壁部３２が露出するように切り欠かれた切り欠き部２３２と、を設けた。これにより、下部容器３０を上部容器２０の下に配置した状態で目視できるため、上部容器２０を設置しやすくなる。
【００４０】
（４）  下部容器３０に、下部側壁部３２の外面に配置される取手部３３を設け、切り欠き部２３２を、取手部３３に対応する位置に配置させた。これにより、取手部３３が切り欠き部２３２から外側に突出する。このため、取手部３３を把持することで、下部容器３０と共に上部容器２０も一緒に持ち運ぶことができる。
【００４１】
（５）  切り欠き部２３２を、少なくとも延出壁部２３における向かい合って配置される面に設けた。切り欠き部２３２と足部２３１との位置が対称になり、上部容器２０を安定して設置することができる。
【００４２】
（６）  下部容器３０を、平面視において複数の隅部３４を有する形状に構成し、足部２３１を、隅部３４に対応する位置に配置させた。これにより、下部容器３０が上部容器２０の内側に納まりやすい形状になり、動物用トイレ１全体がコンパクトになる。また、足部２３１が隅部３４に対応し、隅部３４を避けるように形成されている。このため、使用者が上部容器２０を上から見る姿勢で、下部容器３０に被せるように上部容器２０を配置するとき、足部２３１を下部容器３０の内側に入れてしまったり、誤った位置に足部２３１を配置させにくい。
【００４３】
次に、図８を参照して第２実施形態の動物用トイレ１Ａについて説明する。図８は、第２実施形態の動物用トイレ１Ａの模式図である。動物用トイレ１Ａについて説明しない点は、第１実施形態における動物用トイレ１と同様である。
【００４４】
動物用トイレ１Ａは、上部容器２０Ａの足部２３１Ａが、下部容器３０Ａの下部側壁部３２の内側に配置されている点で第１実施形態と異なる。すなわち、第２実施形態の下部容器３０Ａは、下部底面部３１の周縁側とその内側とを仕切る仕切り部３５を有する。
【００４５】
仕切り部３５は、下部側壁部３２よりも低く下部底面部３１から起立して形成されている。仕切り部３５は、下部底面部３１における下部側壁部３２よりも内側に、下部側壁部３２に沿って形成される。
【００４６】
第２実施形態の動物用トイレ１Ａでは、上部容器２０Ａの足部２３１Ａは、仕切り部３５と下部側壁部３２との間に位置するように配置される。足部２３１Ａが仕切り部３５により、下部底面部３１の内側と隔てられているため、仕切り部３５の内側に配置された吸液部材４が吸収した尿等の液体が、足部２３１Ａに接触しない。このため、足部２３１Ａが排泄物で汚れることがなく、住居の床等の設置面に上部容器２０Ａを直接置くことができる。したがって、第２実施形態の動物用トイレ１Ａも、第１実施形態と同様の効果を奏する。
【００４７】
以上、本発明の好ましい各実施形態について説明したが、本発明は、上述した各実施形態に制限されるものではなく、適宜変更が可能である。
例えば、下部容器３０は、第１実施形態では、略八角形に形成されているが、下部容器３０の形状は略八角形に限られない。
【００４８】
図９Ａ〜９Ｄは、本発明の変形例に係る動物用トイレの下部容器３０Ｂ、３０Ｃを示す。
図９Ａに示すように、下部容器３０Ｂは、略長方形に構成され、長方形の４つの角において丸く面取りされた隅部３４１を有してもよい。隅部３４１は、上部容器の足部に対応する位置に設けられており、長方形の角よりも内側の軌道を描くように面取りされている。このため、使用者が上部容器を上から見る姿勢で、下部容器３０Ｂに被せるように上部容器を配置するとき、誤って足部が下部容器３０Ｂの内側に進入することを防止することができる。
【００４９】
更に、この場合、隅部３４１の内側に、下部容器３０Ｂの内側に向かって突出する平面視でくの字形の突起３６を、規制部として設けてもよい。隅部３４１の内側に突起３６が形成されることにより、上部容器の足部が下部容器３０Ｂの内側に進入することを確実に規制することができる。
【００５０】
また、図９Ｂに示すように、下部容器３０Ｃは、略長方形に構成され、長方形の４つの角において丸く面取りされた隅部３４２を有してもよい。
この場合、隅部３４２から連続して外側に向かって突出するくの字型の突出部３７を、規制部として設けてもよい。突出部３７は、隅部３４２における下部容器の外面に、高さ方向に沿って形成される。突起３６を設ける場合と同様に、隅部３４２の外側に突出部３７が形成されることにより、使用者が上部容器を上から見る姿勢で、下部容器３０Ｃに被せるように上部容器を配置するとき、誤って上部容器の足部が下部容器３０Ｃの内側に進入することを規制することができる。また、下部容器３０Ｃに載置する吸液部材４が四角形である場合に、吸液部材の四隅を突出部３７に配置することができる。
【００５１】
図９Ｃは、図９Ｂに示す下部容器３０ＣをＣ方向から見た矢視図である。突出部３７の上端は、側面視で、下り傾斜している。突出部３７の上端が下り傾斜していることにより、下部容器３０Ｃに接した上部容器の部分を、下部容器３０Ｃの内側へ入り込ませることなく、傾斜に沿って外側へ移動するように誘導することができる。
【００５２】
図９Ｄは、図９Ｃに示す下部容器のさらなる変形例である。突出部３７は、平面視におけるくの字の角に、下部側壁部３２の上端部から下方に向かって形成された切込み部３７１を有してもよい。下部容器３０Ｃに載置する吸液部材４が四角形である場合に、吸液部材の四隅を切込み部３７１に挿入して固定し、吸液部材４に皺が寄ったりめくれたりすることを防ぐことができる。
なお、切込み部３７１は、下部容器３０Ｃに突出部を形成した場合に限られず、例えば図４のように、突出部３７の形成されていない隅部３４の上端部から下方に向かって形成してもよい。この場合、切込み部３７１は、隅部３４それぞれの幅方向における略中央に位置することが好ましい。
【００５３】
図１０Ａ〜１０Ｃは、本発明の他の変形例に係る動物用トイレの下部容器３０Ｄを示す。図１０Ｂは、図１０Ａに示す下部容器３０ＤをＤ方向から見た矢視図である。図１０Ｃは、図１０Ｂに示すＥ−Ｅ線の断面概略図である。
図１０Ａに示すように、下部容器３０Ｄは、略長方形に構成され、長方形の４つの角において平面状に面取りされた隅部３４３を有してもよい。他の変形例に係る隅部３４３によっても変形例に係る隅部３４１、３４２と同様の効果を奏する。
【００５４】
この場合、平面状の隅部３４３から、高さ方向における上部側に、下部容器３０Ｄの外側に向かって突出する平面視でくの字形の突出部３８を、規制部として設けてもよい。
【００５５】
図１０Ｂに示すように、突出部３８の下方には、穴部としての貫通孔３９が形成されていてもよい。図１０Ａに示す通り、下部容器３０Ｄは略八角形に形成されている。このため、下部容器３０Ｄに収納する吸液部材４が長方形だった場合、吸液部材４の四隅が隅部３４３の内面に当たることがある。この場合、貫通孔３９から吸液部材４の四隅を外に引き出すことで、吸液部材４に皺が寄ったりめくれたりすることを防ぐことができる。
【００５６】
また、図９Ｃに示す突出部３７と同様、他の変形例に係る突出部３８も、側面視で下り傾斜していてよい。突出部３８の下り傾斜によれば、上記の変形例に係る突出部３７と同様の効果を奏することができる。
【００５７】
また、取手部３３は、第１実施形態では、下部容器３０から外側に突出しているが、突出していなくともよい。例えば、下部側壁部３２に指を挿入することのできる取手用穴部（図示せず）を一対形成し、取手用穴部に指を挿入して下部容器を持ち上げることで、下部容器の上に配置されている上部容器も同時に移動させることができる。
【００５８】
更に、第１及び第２実施形態では、足部２３１が４箇所形成されていたが、足部２３１の位置は４箇所に限られない。例えば、上部容器の延出壁部を、上部容器の外周に沿って延出させ、正面の一部のみに切り欠き部を形成してもよい。
【符号の説明】
【００５９】
１  動物用トイレ
１０  設置面
２０，２０Ａ  上部容器
２１  上部底面部
２１１  貫通孔
２２  上部壁部
２３  延出壁部
２３１，２３１Ａ  足部
２３２  切り欠き部
３０，３０Ａ，３０Ｂ，３０Ｃ，３０Ｄ  下部容器
３１  下部底面部
３２  下部側壁部
３３  取手部
３４  隅部
３６  突起（規制部）
３７  突出部（規制部）
３７１  切込み部
３８  突出部（規制部）
３９  貫通孔（穴部）
【図１】
2015012855.tif 000003
【図２】
2015012855.tif 000004
【図３】
2015012855.tif 000005
【図４】
2015012855.tif 000006
【図５】
2015012855.tif 000007
【図６】
2015012855.tif 000008
【図７】
2015012855.tif 000009
【図８】
2015012855.tif 000010
【図９Ａ】
2015012855.tif 000011
【図９Ｂ】
2015012855.tif 000012
【図９Ｃ】
2015012855.tif 000013
【図９Ｄ】
2015012855.tif 000014
【図１０Ａ】
2015012855.tif 000015
【図１０Ｂ】
2015012855.tif 000016
【図１０Ｃ】
2015012855.tif 000017